(57)【特許請求の範囲】
【請求項１】
本体フィルムと底テープからなり、周縁がシール部で囲まれたスタンディングパウチ形状の袋状容器であって、底部の一方の端部にパンチ孔が存在し、また、袋の上部両端部分が斜めに切断されて斜め切断シール部が形成され、前記パンチ孔が存在する一方の端部に連なる斜め切断シール部には注入用口栓が取り付けられ、もう一方の斜め切断シール部には注出用口栓が取り付けられ、前記袋状容器のサイドシール部の延長線と斜め切断シール部とのなす切断角度Ａが２５〜７５°であり、且つ、前記袋状容器をパンチ孔を介して吊り下げた際、地面と平行な線と注入用口栓の延長線とのなす角度Ｂが５〜６０°になるように前記パンチ孔を底部の一方の端部に設け、前記本体フィルムには、前記袋状容器を自立させた状態で内容物の量を認識する目盛りと、前記袋状容器をパンチ孔を介して吊り下げた状態で内容物の量を認識する目盛りが記されていることを特徴とする口栓付き袋状容器。
【請求項２】
前記袋状容器及び注入用口栓、注出用口栓は耐レトルト適性を有する材質から構成されていることを特徴とする請求項１に記載の口栓付き袋状容器。
【請求項３】
前記本体フィルムは、透明フィルムであることを特徴とする、請求項１または請求項２に記載の口栓付き袋状容器。
【請求項４】
前記本体フィルムと底テープが、二軸延伸ポリエステル（ＰＥＴ）フィルムの片面に酸化ケイ素の薄膜を設けた蒸着フィルムと二軸延伸ナイロン（Ｎｙ）フィルムと線状低密度ポリエチレン（Ｌ−ＬＤＰＥ）フィルムをドライラミネート法により積層した複合フィルムであり、前記注入用口栓と注出用口栓がポリプロピレン樹脂製であることを特徴とする請求項１〜３のいずれか１項に記載の口栓付き袋状容器。
【発明の詳細な説明】
【０００１】
【発明の属する技術分野】
本発明は（流動性の充填物を注出するための注出口を有する袋状容器に関し、特に）、経腸栄養剤等が充填された容器を吊り下げ、注出具にパイプ等を接続して充填物を注出するスタンディングパウチ形状の袋状容器に関する。
【０００２】
【従来の技術】
経口あるいは経腸により患者に栄養剤を投与する場合には、従来、図３に示すようなボトル状容器が使用されていた。
すなわち、所定の成分の栄養剤（１０２）が収納されたボトル状容器（１０１）を、架台（１０３）から吊り下げ、ボトル状容器（１０１）の底部に接続してあるプラスチック製の細いチューブ（１０４）を介してボトル状容器内の栄養剤を患者に投与する。
また、必要に応じて、密封袋状容器に収納されている栄養剤をボトル状容器に追加補給している。
【０００３】
しかしながら、ボトル状容器を使用する場合には、一旦使用したボトル状容器は再使用できず、従って廃棄しなければならないため、全体としてコストアップになり、また、移し替え等、取扱いが繁雑である等の問題がある。
【０００４】
これらの問題を解決するため、下記するような各種の発明・考案がなされてきた。
すなわち、例えば、特開２０００−６９９９号公報、特開２０００−７０３３号公報、特開平９−１６５０５４号公報、実用新案登録第３０７２４６４号公報等に公開されている発明、考案である。
【０００５】
特開２０００−６９９９号公報に記載された発明は、図４に示すように、注出具（１１５）が容器本体（１１１）より飛び出しており流通時に折れ易い、吊り下げ用の吊下孔（１１９ａ）と充填具（１１３）からつぎたしする際に使用する吊下孔（１２０）とが存在し、操作を変更するたびに吊り下げる位置を変更しなくてはならない、机等に自立させた状態で充填具（１１３）からつぎたしする際に充填具（１１３）が床と平行になっているため容器本体に注入しづらい、といった問題がある。
【０００６】
また、特開２０００−７０３３号公報に記載された発明は、上記の問題点のほかに、図５に示すように、台車（１３１）等で運搬する際に容器（１３０）を積み重ねをすると滑り落ちる可能性がある。
【０００７】
さらに、特開平９−１６５０５４号公報に記載された発明は、図６に示すように、流体である栄養液（１４０）を充填した密封袋状容器本体（１４１）を積み重ねると、台車等で運搬する場合に滑り落ちる可能性があると共に、机等に自立させるということは考慮されていない。
【０００８】
実用新案登録第３０７２４６４号公報に記載された考案は、図７（ａ）、（ｂ）に示すように、一つのスパウト（１５１）が注入用と注出用の二つの機能を満たすため、機能に合わせてカバーキャップ（１５２）を取り外しする必要がある。
【０００９】
【発明が解決しようとする課題】
本発明は、経腸栄養剤等の液状物を充填する袋状容器に関する以上のような問題点に着目してなされたもので、自立用と吊り下げ用を兼ね備え、積み重ねても滑り落ちる可能性の少ない、容易につぎたし可能で取扱の簡便な口栓付き袋状容器を提案することを課題とする。
【００１０】
【課題を解決するための手段】
本発明の請求項１の発明は、本体フィルムと底テープからなり、周縁がシール部で囲まれたスタンディングパウチ形状の袋状容器であって、底部の一方の端部にパンチ孔が存在し、また、袋の上部両端部分が斜めに切断されて斜め切断シール部が形成され、前記パンチ孔が存在する一方の端部に連なる斜め切断シール部には注入用口栓が取り付けられ、もう一方の斜め切断シール部には注出用口栓が取り付けられ、前記袋状容器のサイドシール部の延長線と斜め切断シール部とのなす切断角度Ａが２５〜７５°であり、且つ、前記袋状容器をパンチ孔を介して吊り下げた際、地面と平行な線と注入用口栓の延長線とのなす角度Ｂが５〜６０°になるように前記パンチ孔を底部の一方の端部に設け、前記本体フィルムには、前記袋状容器を自立させた状態で内容物の量を認識する目盛りと、前記袋状容器をパンチ孔を介して吊り下げた状態で内容物の量を認識する目盛りが記されていることを特徴とする口栓付き袋状容器である。
【００１１】
このように請求項１の発明によれば、袋の上部両端部分が斜めに切断され、各斜め切断部には内容物の注出あるいは注入を行うための口栓が取り付けられて斜め切断シール部が形成されているので、口栓の先端の飛び出し部分が少なくなり、流通時の誤開封が少なくなる。また、パンチ孔が存在する一方の端部に連なる斜め切断シール部には注入用口栓が取り付けられ、もう一方の斜め切断シール部には注出用口栓が取り付けられているので、内容物の注入と注出が別々の口から行うことができる。また、袋状容器のサイドシール部の延長線と斜め切断シール部とのなす切断角度Ａが２５〜７５°に設定してあるので、袋状容器を自立袋として棚等の台の上に置いた状態で使用するときなど、内容物を無理なく継ぎ足すことができる。
さらに、袋状容器をパンチ孔を介して吊り下げた際、地面と平行な線と注入用口栓の延長線とのなす角度Ｂが５〜６０°になるようにパンチ孔を底部の一方の端部に設けたので、袋状容器を吊り下げた状態で使用する際、注入口が上を向いており、内容物を容易につぎたすことができる。
さらに、前記本体フィルムには、前記袋状容器を自立させた状態で内容物の量を認識する目盛りと、前記袋状容器をパンチ孔を介して吊り下げた状態で内容物の量を認識する目盛りが記されているので、内容量が容易に確認できる。
【００１２】
また、請求項２の発明は、請求項１記載の発明において、前記袋状容器及び注入用口栓、注出用口栓は耐レトルト適性を有する材質から構成されていることを特徴とする、口栓付き袋状容器である。
【００１３】
このように、請求項２の発明においては、袋状容器及び注入用口栓、注出用口栓は耐レトルト適性を有する材質から構成されているので、充填物の長期保存性をはかることができる。
【００１６】
また、請求項３の発明は、請求項１または２に記載の発明において、前記本体フィルムは、透明フィルムであることを特徴とする口栓付き袋状容器である。
【００１７】
このように、請求項３の発明においては、本体フィルムが透明であるので、内容物の状態や残存量の確認が容易にできる。
【００１８】
また、請求項４の発明は、請求項１〜３のいずれか１項に記載の発明において、前記本体フィルムと底テープが、二軸延伸ポリエステル（ＰＥＴ）フィルムの片面に酸化ケイ素の薄膜を設けた蒸着フィルムと二軸延伸ナイロン（Ｎｙ）フィルムと線状低密度ポリエチレン（Ｌ−ＬＤＰＥ）フィルムをドライラミネート法により積層した複合フィルムであり、前記注入用口栓と注出用口栓がポリプロピレン樹脂製であることを特徴とする口栓付き袋状容器である。
【００１９】
このように、請求項４の発明においては、本体フィルムと底テープを、ＰＥＴフィルムの片面に酸化ケイ素の薄膜を設けた蒸着フィルムとＮｙフィルムとＬ−ＬＤＰＥフィルムをドライラミネート法により積層した複合フィルムの構成とし、注入用口栓と注出用口栓をポリプロピレン樹脂製としたので、ガスバリア性と耐突き刺し性に優れ、透明でレトルト適性に優れた口栓付き袋状容器が得られる。
【００２０】
【発明の実施の形態】
本発明の口栓付き袋状容器を一実施形態に基づいて以下に詳細に説明する。
本発明の口栓付き袋状容器は、例えば、図１、図２に示すように、本体フィルム（１）と底テープ（２）からなり、周縁がシール部で囲まれたスタンディングパウチ形状の袋状容器（１０）であって、底部（１１）の一方の端部にパンチ孔（１２）が存在し、また、袋の上部両端部分が斜めに切断されて斜め切断シール部（１５）が形成され、パンチ孔が存在する一方の端部に連なる斜め切断シール部には注入用口栓（１３）が取り付けられ、もう一方の斜め切断シール部には注出用口栓（１４）が取り付けられ、前記袋状容器のサイドシール部（１６）の延長線と天面の両端部の斜め切断シール部（１５）とのなす切断角度Ａを２５〜７５°としたものである。
【００２１】
袋状容器を構成する本体フィルム（１）と底テープ（２）は、ガスバリア性や耐突き刺し性に優れ、透明性を有する、複合フィルムが好ましく使用でき、より具体的には、二軸延伸ポリプロピレン（ＯＰＰ）フィルム、二軸延伸ポリエステル（ＰＥＴ）フィルム、二軸延伸ナイロン（Ｎｙ）フィルム等の基材フィルムに、高密度ポリエチレン（ＨＤＰＥ）フィルム、未延伸ポリプロピレン（ＣＰＰ）フィルム、線状低密度ポリエチレン（Ｌ−ＬＤＰＥ）フィルム等のシーラント層を積層した複合フィルム（必要に応じて基材フィルムとシーラント層の間に中間層として、一軸ないし二軸延伸されたＰＥＴフィルム、Ｎｙフィルム、ポリオレフィンフィルムなどの延伸フィルム上に、酸化アルミニウムや酸化ケイ素などの無機化合物の薄膜を物理蒸着あるいは化学蒸着などの蒸着法により２０〜１００ｎｍ程度の厚さに設けた無機化合物蒸着プラスチックフィルム、エチレンビニルアルコール共重合樹脂フィルム（ＥＶＯＨ）等を積層しても良い。）が好ましく使用できる。
【００２２】
複合フィルムは、透明性を高めることにより例えば、内容物の残存量を外側から容易に確認することができるし、耐熱性に優れた接着剤などを使用して耐レトルト適性を付与させることにより内容物の保管期間を伸ばすこともできる。
【００２３】
本体フィルム（１）の複合フィルムに目盛り（１７）を印刷しておくことにより、内容物の使用量や残存量を容易に認識することができる。
【００２４】
また、内容物をつぎ足すための注入用口栓、患者側につながるチューブに接続される注出用口栓ともに、ポリプロピレン樹脂等耐レトルト適性を有する一般的に公知の熱可塑性樹脂を射出成形法により成形したものが使用できる。
注入用口栓、注出用口栓ともに、その口許をアルミニウム箔で密封し、さらにカバーキャップを被せるタイプのものか、スパウト部とキャップ部が一体成形されているタイプのものが望ましい。
注入用口栓の内口径は１０〜５０ｍｍ程度が望ましい。
【００２５】
本発明の１つのポイントは、袋状容器のサイドシール部（１６）の延長線と天面の両端部の斜め切断シール部（１５）とのなす切断角度Ａを２５〜７５°に設定したことである。
このことにより、袋状容器を自立袋として棚などの台の上に置いて使用する場合に、注入用口栓が上を向いており、内容物を無理なく容易に継ぎ足すことができる。
【００２６】
切断角度Ａが２５°未満であると、注入用口栓が横向きになり、内容物を継ぎ足す際に内容物が容器内に入りにくくなったり、内容物がこぼれ易くなる。
また、切断角度Ａが７５°以上になると、袋状容器を吊り下げて使用する際に、注入用口栓が下を向いた状態で取り付けられることになり、内容物がこぼれだすおそれがある。
【００２７】
袋状容器の底部の一方の端部に設けるパンチ孔（１２）の位置は、袋状容器をパンチ孔を介して吊り下げ用治具（２１）に吊り下げた際に、地面と平行な線と注入用口栓の延長線とのなす角度Ｂが５〜６０°になるように設けることが必要である（図２参照）。
このことにより、吊り下げた際にバランスがとれて、袋状容器を吊り下げた吊り台がふらついたりすることがない。
【００２８】
角度Ｂが５°未満であると、注入用口栓が下を向いた状態になって、内容物がもれだすおそれがある。また、角度Ｂが６１°以上になると、袋状容器を架台からはずして机上にて内容物を継ぎ足す際に、注入口が地面に対して略平行になり、注入口を持ち上げた状態にて継ぎ足さなくてはならないという不都合を生じる。
【００２９】
【実施例】
以下実施例により本発明の口栓付き袋状容器をさらに詳細に説明する。
〈実施例１〉
まず本体フィルム（１）と底テープ（２）用として、厚さ１２μｍのＰＥＴフィルムの片面に酸化ケイ素の薄膜を２０〜１００ｎｍ程度の厚さに設けた蒸着フィルムと厚さ１５μｍのＮｙフィルムと厚さ１５０μｍのＬ−ＬＤＰＥフィルムをドライラミネート法により積層した複合フィルムを準備した。
【００３０】
別に、ポリプロピレン樹脂製の再封機能を有する内口径１６ｍｍの注入用口栓と、同じくポリプロピレン樹脂製の注出用口栓を準備した。
【００３１】
つぎに、一般的に使用されているスタンディングパウチ製袋機を使用して、幅；２２０ｍｍ、高さ；１８０ｍｍ、折り込み；６０ｍｍ、切断角度Ａ；４０°、角度Ｂ；１５°、からなるそれぞれの斜め切断シールに注入用口栓と注出用口栓が取り付けられた実施例１の口栓付き袋状容器を作製した（図１参照）。
【００３２】
この実施例１の袋状容器に、机に自立させた状態と、パンチ孔を介して吊り台に吊り下げた状態の２条件で、各５００ｍｌの水道水を充填した。
その結果、机に自立させた状態でも、吊り台に吊り下げた状態でも、容易に水道水を充填することができた。
【００３３】
【発明の効果】
上記のように、本発明の口栓付き袋状容器は、注出用口栓も斜め切断シール部に存在するため、先端の飛び出している部分が少なく、流通時の誤開封がなくなる。
また、口栓付き袋状容器を机上に自立させた状態でも、パンチ孔を介して吊り下げた状態でも、注入し易いようにパンチ孔の位置をつけかえる等の他の工程を行わなくても内容物の注入が容易になった。
自立性があるため、流通時の積み重ねによる滑り落ちがなくなった。
【図面の簡単な説明】
【図１】本発明の口栓付き袋状容器の一実施例を示す、平面説明図である。
【図２】本発明の口栓付き袋状容器を吊り下げた状態の一実施例を示す、平面説明図である。
【図３】従来のボトル状容器の使用状態の一例を示す、説明図である。
【図４】従来の袋状容器の一例を示す、説明図である。
【図５】従来の袋状容器を積み重ねた状態の一例を示す、説明図である。
【図６】従来の袋状容器の別の一例を示す、説明図である。
【図７】従来の袋状容器のさらに別の一例を示す説明図で、（ａ）は吊り下げる前、（ｂ）は吊り下げた後の状態を示す。
【符号の説明】
１‥‥本体フィルム
２‥‥底テープ
１０‥‥袋状容器
１１‥‥底シール部
１２‥‥パンチ孔
１３‥‥注入用口栓
１４‥‥注出用口栓
１５‥‥斜め切断シール部
１６‥‥サイドシール部
１７‥‥目盛り
２１‥‥吊り下げ用治具
１０１‥‥ボトル状容器
１０２‥‥栄養剤
１０３‥‥架台
１０４‥‥チューブ
１１１‥‥容器本体
１１３‥‥充填具
１１５‥‥注出具
１１９ａ‥吊下孔
１２０‥‥吊下孔
１３０‥‥容器
１３１‥‥台車
１４０‥‥栄養液
１４１‥‥密封袋状容器本体
１５１‥‥スパウト
１５２‥‥カバーキャップ
【図１】
0004085617.tif 000002
【図２】
0004085617.tif 000003
【図３】
0004085617.tif 000004
【図４】
0004085617.tif 000005
【図５】
0004085617.tif 000006
【図６】
0004085617.tif 000007
【図７】
0004085617.tif 000008